(57)【要約】【課題】放電セル全体に安定した維持放電パルスを印加することができるプラズマ表示装置を提供する。【解決手段】複数の第１電極Ｙに第１電圧Ｖｓ及び第１電圧より低い第２電圧０Ｖを交互に有する維持放電パルスを印加する維持駆動部４１０、複数の第１電極Ｙに各々連結され、各々第１スイッチＳｃｌ及び第２スイッチＳｃｈを含む複数の選択回路４３１を含む走査駆動部４３０、及び複数の選択回路４３１のうちの少なくとも１つの選択回路に連結されて、第１電極の電圧が第１電圧より高くなる場合には第１電圧に維持するクランピング部４４０を含むプラズマ表示装置。【選択図】図５
2008116908.tif 000002
【特許請求の範囲】
【請求項１】
複数の第１電極及び前記複数の第１電極と共に表示動作を行う複数の第２電極を含み、前記複数の第１電極及び第２電極によって複数の放電セルが形成されるプラズマ表示装置において、
各々第１スイッチ及び第２スイッチを含む複数の選択回路を有し、前記複数の第１電極に前記第１スイッチを通じて順次に走査電圧を印加し、前記走査電圧が印加される第１電極以外の第１電極に前記第２スイッチを通じて非走査電圧を印加する走査駆動部と、
前記複数の選択回路を通じて前記複数の第１電極に第１電圧及び前記第１電圧より低い第２電圧を交互に有する維持放電パルスを印加する維持駆動部と、
前記複数の選択回路のうちの少なくとも１つの選択回路に連結されて、前記第１電極の電圧が前記第１電圧より高くなる場合に前記第１電極の電圧を前記第１電圧に維持するクランピング部と、
を含むプラズマ表示装置。
【請求項２】
前記クランピング部は、アノードが前記第１スイッチの入力端に連結され、カソードが前記第１電圧を供給する第１電源に連結されるクランピングダイオードを含む請求項１に記載のプラズマ表示装置。
【請求項３】
前記クランピング部は、前記クランピングダイオードのカソードと前記第１電源との間の接続点に一端が連結され、接地端に他端が連結されるキャパシタをさらに含む請求項２に記載のプラズマ表示装置。
【請求項４】
前記クランピング部は、
前記複数の選択回路のうちの前記維持駆動部の出力端から最も離れた距離に位置する選択回路に連結される請求項２に記載のプラズマ表示装置。
【請求項５】
複数の第１電極と、
前記複数の第１電極と第１電圧を供給する第１電源との間に電気的に連結されて、前記複数の第１電極に前記第１電圧を印加する経路を形成する第１維持放電スイッチと、
前記複数の第１電極と前記第１電圧より低い第２電圧を供給する第２電源との間に連結されて、前記複数の第１電極に前記第２電圧を印加する経路を形成する第２維持放電スイッチと、
前記複数の第１電極に各々連結されて、前記第１維持放電スイッチ及び第２維持放電スイッチの接続点に入力端が電気的に連結され、前記複数の第１電極に出力端が連結される複数の第１スイッチと、
前記複数の第１スイッチのうちの少なくとも１つの第１スイッチの入力端にアノードが連結され、前記第１電源にカソードが連結されるクランピングダイオードと、を含み、
前記複数の第１電極に前記第１スイッチを通じて前記第１電圧及び第２電圧が印加されるプラズマ表示装置。
【請求項６】
前記クランピングダイオードのカソードと前記第１電源との間に第１端が連結され、接地端に第２端が連結されるキャパシタをさらに含み、
前記キャパシタには前記第１電圧が充電されている請求項５に記載のプラズマ表示装置。
【請求項７】
前記複数の第１スイッチのうちの前記第１維持放電スイッチ及び第２維持放電スイッチから最も離れた距離に位置する第１スイッチに前記クランピングダイオードが連結される請求項６に記載のプラズマ表示装置。
【請求項８】
前記第１電圧は、前記複数の第１電極に印加される維持放電パルスのハイレベル電圧である請求項７に記載のプラズマ表示装置。
【請求項９】
前記第１スイッチは、アドレス期間に前記複数の第１電極のうちの点灯されるセルとして選択される放電セルの第１電極に走査電圧を印加する経路を形成する請求項５に記載のプラズマ表示装置。
【請求項１０】
複数の第１電極及び前記複数の第１電極に交差する方向に形成される複数の第２電極によって複数の放電セルが形成され、前記複数の第１電極に順次に走査電圧を印加する走査駆動部を含むプラズマ表示装置を駆動する方法において、
アドレス期間に前記走査駆動部を通じて前記複数の第１電極に順次に走査電圧を印加し、前記走査電圧が印加された放電セルのうちの点灯される放電セルの第２電極にアドレス電圧を印加して、点灯される放電セルを選択する段階と、
維持期間に前記複数の第１電極全体に第１電圧及び前記第１電圧より低い第２電圧を有する維持放電パルスを前記走査駆動部を通じて印加して、前記選択された放電セルに維持放電を起こす段階と、を含み、
前記維持期間に前記複数の第１電極に前記第１電圧が印加された時に前記複数の第１電極のうちの少なくとも１つの第１電極に過電圧が印加される場合、前記過電圧が印加された第１電極の電圧を前記第１電圧に維持するプラズマ表示装置の駆動方法。
【請求項１１】
前記走査駆動部は、前記複数の第１電極に前記走査電圧を印加する経路を形成する第１スイッチ及び前記走査電圧が印加されない第１電極に非走査電圧を印加する経路を形成する第２スイッチを含み、
前記維持期間に前記複数の第１電極に前記第１スイッチを通じて前記維持放電パルスが印加される請求項１０に記載のプラズマ表示装置の駆動方法。
【請求項１２】
前記アドレス期間以前のリセット期間に、
前記複数の第１電極の電圧を前記第２スイッチを通じて漸進的に上昇させた後、前記第１スイッチを通じて漸進的に下降させて、前記複数の放電セルを初期化する段階をさらに含む請求項１１に記載のプラズマ表示装置の駆動方法。
【発明の詳細な説明】
【技術分野】
【０００１】
本発明は、プラズマ表示装置及びその駆動方法に関する。
【背景技術】
【０００２】
プラズマ表示装置は、気体放電によって生成されたプラズマを利用して文字または画像を表示する平面表示装置であって、その大きさによって数十から数百万個以上の放電セルがマトリックス形態に配列されている。
【０００３】
プラズマ表示装置の駆動方法は、時間的な動作変化で表現すると、リセット期間、アドレス期間、維持期間からなる。
【０００４】
リセット期間は、セルにアドレシング動作が円滑に行われるようにするために、各セルの状態を初期化する期間であり、アドレス期間は、パネルで点灯されるセル及び点灯されないセルを選択するために、点灯されるセル（アドレシングされたセル）にアドレス電圧を印加して壁電荷を形成する期間である。維持期間は、維持放電パルスを印加して、アドレシングされたセルに実際に画像を表示するための放電を行う期間である。
【０００５】
一般に、このようなプラズマ表示装置は、維持期間に走査電極及び維持電極にハイレベル電圧（一般にＶｓ電圧）及びローレベル電圧（一般に０Ｖ）を交互に有する維持放電パルスを反対極性で印加して放電セルに維持放電を起こす。この時、維持電極及び走査電極によって形成される容量性成分をパネルキャパシタでモデリングすることができる。
【０００６】
図１は一般的な走査電極駆動部の駆動回路を示した図面であり、図２は走査電極駆動ボード及びそれに連結されるスキャンボードを簡略化して示した図面である。そして、図３は図１で示した走査電極駆動部によって走査電極に印加される維持放電パルスを簡略化して示した図面である。
【０００７】
図１に示したように、走査電極駆動部４００は、維持駆動部４１０、リセット駆動部４２０、及び走査駆動部４３０を含む。
【０００８】
この時、維持駆動部４１０は、電力回収部４１１及び維持放電経路を形成する維持放電スイッチ（Ｙｓ、Ｙｇ）を含む。第１維持放電スイッチ（Ｙｓ）は、Ｖｓ電圧を供給する電源端（Ｖｓ）とパネルキャパシタ（Ｃｐ）の走査電極（Ｙ）との間に連結され、第２維持放電スイッチ（Ｙｇ）は、０Ｖ電圧を供給する接地端（０Ｖ）とパネルキャパシタ（Ｃｐ）の走査電極（Ｙ）との間に連結されている。すなわち、パネルキャパシタ（Ｃｐ）は、電源端（Ｖｓ）、第１維持放電スイッチ（Ｙｓ）、パネルキャパシタ（Ｃｐ）の経路を通じてＶｓ電圧が印加されて維持され、また、パネルキャパシタ（Ｃｐ）、第２維持放電スイッチ（Ｙｇ）、接地端（０Ｖ）の経路を通じて０Ｖ電圧が印加されて維持される。
【０００９】
一方、維持期間に維持放電スイッチ（Ｙｓ、Ｙｇ）の動作によってパネルキャパシタ（Ｃｐ）の走査電極（Ｙ）に印加される維持放電パルスは、走査駆動部４３０の選択回路４３１を通じてパネルキャパシタ（Ｃｐ）の走査電極（Ｙ）に印加される。ところで、一般的な選択回路４３１は、図２に示したように、ＩＣ（Ｉｎｔｅｇｒａｔｅｄ  Ｃｉｒｃｕｉｔ；ＩＣ１〜ＩＣ１２）形態でスキャンボード１２０に位置し、複数の選択回路ＩＣは、各々パネルキャパシタ（Ｃｐ）に連結されている。したがって、実際に各パネルキャパシタ（Ｃｐ）に印加される維持放電パルスは、走査電極駆動ボード１１０に位置した維持駆動部４１０からスキャンボード１２０に位置した各選択回路ＩＣ（ＩＣ１〜ＩＣ１２）の出力端までの距離の差によって各々異なるインダクタンスの影響を受けるようになる。したがって、図３のように維持駆動部４１０の出力端から最も遠い距離に位置する選択回路ＩＣ（ＩＣ１、ＩＣ２、ＩＣ１１、ＩＣ１２）を通じて印加される維持放電パルスは、図３に示した波形Ｃのようなオーバシュート（ｏｖｅｒ  ｓｈｏｏｔ）が発生することがある。そして、維持駆動部４１０の出力端から相対的に近い距離に位置する選択回路ＩＣ（ＩＣ３〜ＩＣ１０）を通じて印加される維持放電パルスは、その距離によって、図３に示した波形Ａまたは波形Ｂのようなオーバシュートが発生することがある。
【００１０】
このように、維持駆動部４１０と各選択回路ＩＣとの間の距離の差によって各パネルキャパシタ（Ｃｐ）に印加される維持放電パルスが異なる場合、プラズマ表示パネルの画面全体で上／下段は明るくなり中段は相対的に暗くなる現象が発生することがある。また、各選択回路ＩＣ別の境界面が画面上で眼に見える現象が発生することがある。
【発明の開示】
【発明が解決しようとする課題】
【００１１】
本発明が目的とする技術的課題は、放電セル全体に安定した維持放電パルスを印加することができるプラズマ表示装置及びその駆動装置を提供することにある。
【課題を解決するための手段】
【００１２】
本発明の特徴によれば、複数の第１電極及び前記複数の第１電極と共に表示動作を行う複数の第２電極を含み、前記複数の第１電極及び第２電極によって複数の放電セルが形成されるプラズマ表示装置が提供される。このプラズマ表示装置は、各々第１スイッチ及び第２スイッチを含む複数の選択回路を有し、前記複数の第１電極に前記第１スイッチを通じて順次に走査電圧を印加し、前記走査電圧が印加される第１電極以外の第１電極に前記第２スイッチを通じて非走査電圧を印加する走査駆動部と、前記複数の選択回路を通じて前記複数の第１電極に第１電圧及び前記第１電圧より低い第２電圧を交互に有する維持放電パルスを印加する維持駆動部と、前記複数の選択回路のうちの少なくとも１つの選択回路に連結されて、前記第１電極の電圧が前記第１電圧より高くなる場合には前記第１電極の電圧を前記第１電圧に維持するクランピング部と、を含む。この時、クランピング部は、アノードが前記第１スイッチの入力端に連結され、カソードが前記第１電圧を供給する第１電源に連結されるクランピングダイオードを含むのが好ましい。
【００１３】
本発明の他の特徴によれば、複数の第１電極と、前記複数の第１電極と第１電圧を供給する第１電源との間に電気的に連結されて、前記複数の第１電極に前記第１電圧を印加する経路を形成する第１維持放電スイッチと、前記複数の第１電極と前記第１電圧より低い第２電圧を供給する第２電源との間に連結されて、前記複数の第１電極に前記第２電圧を印加する経路を形成する第２維持放電スイッチと、前記複数の第１電極に各々連結されて、前記第１維持放電スイッチ及び第２維持放電スイッチの接続点に入力端が電気的に連結され、前記複数の第１電極に出力端が連結される複数の第１スイッチ、及び前記複数の第１スイッチのうちの少なくとも１つの第１スイッチの入力端にアノードが連結され、前記第１電源にカソードが連結されるクランピングダイオードと、を含むプラズマ表示装置が提供される。このプラズマ表示装置は、前記複数の第１電極に前記第１スイッチを通じて前記第１電圧及び第２電圧が印加される。
【００１４】
本発明のまた他の特徴によれば、複数の第１電極及び前記複数の第１電極に交差する方向に形成される複数の第２電極によって複数の放電セルが形成され、前記複数の第１電極に順次に走査電圧を印加する走査駆動部を含むプラズマ表示装置を駆動する方法が提供される。この駆動方法は、アドレス期間に前記走査駆動部を通じて前記複数の第１電極に順次に走査電圧を印加し、前記走査電圧が印加された放電セルのうちの点灯される放電セルの第２電極にアドレス電圧を印加して、点灯される放電セルを選択する段階と、維持期間に前記複数の第１電極全体に第１電圧及び前記第１電圧より低い第２電圧を有する維持放電パルスを前記走査駆動部を通じて印加して、前記選択された放電セルに維持放電を起こす段階と、を含む。この時、前記維持期間に前記複数の第１電極に前記第１電圧が印加された時に前記複数の第１電極のうちの少なくとも１つの第１電極に過電圧が印加される場合、前記過電圧が印加された第１電極の電圧を前記第１電圧に維持するのが好ましい。
【発明の効果】
【００１５】
本発明によれば、維持期間に維持放電パルスのハイレベル電圧を走査電極に印加する時に発生するオーバシュートを防止して、一定の維持放電パルスを印加することができる。また、走査電極駆動ボードと複数の選択回路ＩＣとの間の距離によって発生する各々異なる大きさのオーバシュートを効果的にクランピング（ｃｌａｍｐｉｎｇ）することができて、放電セル全体に安定した維持放電パルスを印加することができる。
【発明を実施するための最良の形態】
【００１６】
以下、添付した図面を参照して、本発明の実施形態について、本発明が属する技術分野における通常の知識を有する者が容易に実施することができるように詳細に説明する。しかし、本発明は、多様な相異した形態で具現され、ここで説明する実施形態に限定されない。そして、図面では、本発明を明確に説明するために、説明に不必要な部分は省略し、明細書全体を通して類似した部分については、類似した図面符号を付けた。
【００１７】
明細書全体で、ある部分が他の部分と「連結」されているとする時、これは「直接的に連結」されている場合だけでなく、その中間に他の素子をおいて「電気的に連結」されている場合も意味する。また、ある部分がある構成要素を「含む」とする時、これは特に反対の記載がない限り、他の構成要素を排除するのではなく、他の構成要素をさらに含むことを意味する。
【００１８】
それでは、本発明の実施形態によるプラズマ表示装置及びその駆動装置について、図面を参照して詳細に説明する。
【００１９】
まず、本発明の実施形態によるプラズマ表示装置について、図４を参照して詳細に説明する。
【００２０】
図４は本発明の実施形態によるプラズマ表示装置を示した図面である。
【００２１】
図４に示したように、本発明の実施形態によるプラズマ表示装置は、プラズマ表示パネル１００、制御部２００、アドレス電極駆動部３００、走査電極駆動部４００、及び維持電極駆動部５００を含む。
【００２２】
プラズマ表示パネル１００は、列方向にのびている複数のアドレス電極（以下、「Ａ電極」と称する；Ａ１〜Ａｍ）、そして行方向に互いに対をなしてのびている複数の維持電極（以下、「Ｘ電極」と称する；Ｘ１〜Ｘｎ）及び走査電極（以下、「Ｙ電極」と称する；Ｙ１〜Ｙｎ）を含む。一般に、Ｘ電極（Ｘ１〜Ｘｎ）は、各Ｙ電極（Ｙ１〜Ｙｎ）に対応して形成されていて、Ｘ電極（第２電極）及びＹ電極（第１電極）が維持期間に画像を表示するための表示動作を行う。また、Ｙ電極（Ｙ１〜Ｙｎ）及びＸ電極（Ｘ１〜Ｘｎ）は、Ａ電極（Ａ１〜Ａｍ）と直交するように配置される。この時、Ａ電極（Ａ１〜Ａｍ）とＸ電極及びＹ電極（Ｘ１〜Ｘｎ、Ｙ１〜Ｙｎ）との交差部にある放電空間が放電セル１２を形成する。
【００２３】
制御部２００は、外部から画像信号を受信して、アドレス電極駆動制御信号、維持電極駆動制御信号、及び走査電極駆動制御信号を出力する。そして、制御部２００は、１フレームを複数のサブフィールドに分割して駆動し、各サブフィールドは、時間的な動作変化で表現すると、リセット期間、アドレス期間、及び維持期間からなる。
【００２４】
アドレス電極駆動部３００は、制御部２００からアドレス電極駆動制御信号を受信して、表示しようとする放電セルを選択するための表示データ信号を各Ａ電極に印加する。
【００２５】
走査電極駆動部４００は、制御部２００から走査電極駆動制御信号を受信して、Ｙ電極に駆動電圧を印加する。
【００２６】
維持電極駆動部５００は、制御部２００から維持電極駆動制御信号を受信して、Ｘ電極に駆動電圧を印加する。
【００２７】
図５は本発明の実施形態による走査電極駆動部の駆動回路を示した図面である。
【００２８】
図５で示したスイッチは、ボディーダイオード（図示せず）を有するｎチャンネル電界効果トランジスタ（ＦＥＴ）であるが、同一または類似した機能を有する他のスイッチからなることもできる。そして、Ｘ電極及びＹ電極とＡ電極とによって形成される各々の容量性成分をパネルキャパシタ（Ｃｐ）で示した。
【００２９】
図５に示したように、走査電極駆動部４００は、維持駆動部４１０、リセット駆動部４２０、走査駆動部４３０、及びクランピング部４４０を含む。
【００３０】
維持駆動部４１０は、電力回収部４１１及び維持放電スイッチ（以下、「トランジスタ」と称する）（Ｙｓ、Ｙｇ）を含む。この時、電力回収部４１１は、トランジスタ（Ｙｒ、Ｙｆ）、インダクタ（Ｌ）、ダイオード（Ｄｒ、Ｄｆ）、及び電力回収用キャパシタ（Ｃｅｒ）を含む。
【００３１】
トランジスタ（Ｙｓ）は、Ｖｓ電圧（第１電圧）を供給する電源端（Ｖｓ）とパネルキャパシタ（Ｃｐ）のＹ電極との間に連結され、また、トランジスタ（Ｙｇ）は、０Ｖ電圧（第２電圧）を供給する接地端（０Ｖ）とパネルキャパシタ（Ｃｐ）のＹ電極との間に連結されている。この時、トランジスタ（Ｙｓ）は、Ｙ電極にＶｓ電圧を印加して維持し、トランジスタ（Ｙｇ）は、Ｙ電極に０Ｖ電圧を印加して維持する。
【００３２】
この時、トランジスタ（Ｙｓ、Ｙｇ）の接続点に電力回収用キャパシタ（Ｃｅｒ）の第１端が連結されており、電力回収用キャパシタ（Ｃｅｒ）にはＶｓ電圧と０Ｖ電圧との中間程度の電圧（Ｖｓ／２）が充電されている。そして、インダクタ（Ｌ）の第１端にＹ電極が連結され、インダクタ（Ｌ）の第２端にトランジスタ（Ｙｒ）のソースが連結されている。電力回収用キャパシタ（Ｃｅｒ）の第１端にトランジスタ（Ｙｒ）のドレインが連結されており、インダクタ（Ｌ）の第２端にトランジスタ（Ｙｆ）のドレインが連結され、電力回収用キャパシタ（Ｃｅｒ）の第１端にトランジスタ（Ｙｆ）のソースが連結されている。
【００３３】
そして、トランジスタ（Ｙｒ）のソースとインダクタ（Ｌ）との間にダイオード（Ｄｒ）が連結され、トランジスタ（Ｙｆ）のドレインとインダクタ（Ｌ）との間にダイオード（Ｄｆ）が連結されている。ダイオード（Ｄｒ）は、トランジスタ（Ｙｒ）がボディーダイオードを有する場合にパネルキャパシタ（Ｃｐ）の電圧を増加させる上昇経路を設定するためのものであり、ダイオード（Ｄｆ）は、トランジスタ（Ｙｆ）がボディーダイオードを有する場合にＹ電極の電圧を減少させる下降経路を設定するためのものである。この時、トランジスタ（Ｙｒ、Ｙｆ）がボディーダイオードを有しない場合には、ダイオード（Ｄｒ、Ｄｆ）を除去することもできる。このように連結された電力回収部４１１は、インダクタ（Ｌ）及びパネルキャパシタ（Ｃｐ）の共振を利用して、Ｙ電極の電圧を０Ｖ電圧からＶｓ電圧に増加させたり、Ｖｓ電圧から０Ｖ電圧に減少させる。
【００３４】
一方、電力回収部４１１において、インダクタ（Ｌ）、ダイオード（Ｄｆ）、及びトランジスタ（Ｙｆ）の間の連結順序は変更することができ、インダクタ（Ｌ）、ダイオード（Ｄｒ）、及びトランジスタ（Ｙｒ）の間の連結順序も変更することができる。例えば、インダクタ（Ｌ）がトランジスタ（Ｙｒ、Ｙｆ）の接続点と電力回収用キャパシタ（Ｃｅｒ）との間に連結されることもできる。また、図５では、インダクタ（Ｌ）がトランジスタ（Ｙｒ、Ｙｆ）の接続点に連結されたが、トランジスタ（Ｙｒ）によって形成される上昇経路及びトランジスタ（Ｙｆ）によって形成される下降経路に各々インダクタが連結されることもできる。
【００３５】
リセット駆動部４２０は、トランジスタ（Ｙｒｒ、Ｙｆｒ、Ｙｎｐ）、ツェナーダイオード（ＺＤ）、及びダイオード（Ｄｓｅｔ）を含み、リセット期間の上昇期間にＹ電極の電圧をＶｓｃＨ電圧からＶｓｃＨ＋Ｖｓｅｔ電圧まで漸進的に増加させる。そして、リセット期間の下降期間にＹ電極の電圧をＶｓｃＨ電圧からＶｎｆ電圧まで漸進的に減少させる。したがって、複数の放電セルを初期化することができる。ここで、Ｖｓｅｔ電圧の絶対値は、その後の維持期間に印加される維持放電パルスのハイレベル電圧（Ｖｓ）より小さい。
【００３６】
この時、トランジスタ（Ｙｒｒ）のドレインは電源（Ｖｓｅｔ）に連結され、トランジスタ（Ｙｒｒ）のソースはＹ電極に電気的に連結され、トランジスタ（第３スイッチ）（Ｙｎｐ）のドレインはトランジスタ（Ｙｒｒ）のソースに連結され、トランジスタ（Ｙｎｐ）のソースはＹ電極に連結されている。また、トランジスタ（Ｙｒｒ）のボディーダイオードによる電流を遮断するために、トランジスタ（Ｙｒｒ）のボディーダイオードと反対方向にダイオード（Ｄｓｅｔ）が連結されている。
【００３７】
そして、ＶｓｃＬ電圧を供給する電源（ＶｓｃＬ）とパネルキャパシタ（Ｃｐ）のＹ電極との間にトランジスタ（Ｙｆｒ）が連結されており、Ｖｎｆ電圧が走査電圧（ＶｓｃＬ電圧）より高く形成されるので、トランジスタ（Ｙｆｒ）とＹ電極との間にツェナーダイオード（ＺＤ）が連結されている。ここで、Ｖｎｆ電圧は、ＶｓｃＬ電圧より降伏電圧だけ高い電圧と仮定した。一方、ツェナーダイオード（ＺＤ）は、電源（ＶｓｃＬ）とトランジスタ（Ｙｆｒ）との間に連結されることもできる。そして、Ｖｎｆ電圧がＶｓｃＬ電圧より高く形成されるので、トランジスタ（ＹｓｃＬ）がターンオンされた時に、トランジスタ（Ｙｆｒ）のボディーダイオードを通じて電流経路が形成されることができる。したがって、トランジスタ（Ｙｆｒ）のボディーダイオードを通じた電流経路を遮断するために、トランジスタ（Ｙｆｒ）は、バックトゥバック（ｂａｃｋ−ｔｏ−ｂａｃｋ）形態に形成されることができる。
【００３８】
走査駆動部４３０は、選択回路４３１、キャパシタ（ＣｓｃＨ）、ダイオード（ＤｓｃＨ）、及びトランジスタ（ＹｓｃＬ）を含み、アドレス期間に点灯される放電セルを選択するためにＹ電極に走査電圧（ＶｓｃＬ電圧）を印加し、点灯されない放電セルのＹ電極に非走査電圧（ＶｓｃＨ電圧）を印加する。一般に、アドレス期間に複数のＹ電極（Ｙ１〜Ｙｎ）を順次に選択することができるように、各Ｙ電極（Ｙ１〜Ｙｎ）に選択回路４３１がＩＣ形態で連結されており、このような選択回路４３１を通じて走査電極駆動部４００の駆動回路がＹ電極（Ｙ１〜Ｙｎ）に共通で連結される。図５では、１つのＹ電極に連結される選択回路４３１だけを示した。
【００３９】
この時、選択回路４３１は、トランジスタ（第２スイッチ）（Ｓｃｈ）、トランジスタ（第１スイッチ）（Ｓｃｌ）を含む。トランジスタ（Ｓｃｈ）のソース及びトランジスタ（Ｓｃｌ）のドレインは、各々パネルキャパシタ（Ｃｐ）のＹ電極に連結されている。トランジスタ（Ｓｃｌ）のソースにキャパシタ（ＣｓｃＨ）の第１端が連結され、キャパシタ（ＣｓｃＨ）の第２端にトランジスタ（Ｓｃｈ）のドレインが連結されている。そして、電源（ＶｓｃＬ）とパネルキャパシタ（Ｃｐ）のＹ電極との間にトランジスタ（ＹｓｃＬ）が電気的に連結され、非走査電圧（ＶｓｃＨ電圧）を供給する電源（ＶｓｃＨ）にアノードが連結され、ダイオード（ＤｓｃＨ）のカソードがトランジスタ（Ｓｃｈ）のドレインに連結されている。ここで、トランジスタ（ＹｓｃＬ）がターンオンされて、キャパシタ（ＣｓｃＨ）には（ＶｓｃＨ−ＶｓｃＬ）電圧が充電される。
【００４０】
一方、図５では、各トランジスタ（Ｙｓ、Ｙｇ、Ｙｒ、Ｙｆ、Ｙｒｒ、ＹｓｃＬ、Ｓｃｈ、Ｓｃｌ、Ｙｎｐ）を各々１つのトランジスタで示したが、各トランジスタ（Ｙｓ、Ｙｇ、Ｙｒ、Ｙｆ、Ｙｒｒ、ＹｓｃＬ、Ｓｃｈ、Ｓｃｌ、Ｙｎｐ）は、各々１つのトランジスタまたは並列に連結された複数のトランジスタから形成されることができる。
【００４１】
クランピング部４４０は、クランピングダイオード（Ｄ１）及びキャパシタ（Ｃ１）を含む。具体的に、クランピングダイオード（Ｄ１）は、選択回路４３１のトランジスタ（Ｓｃｌ）の入力端に連結されて、維持駆動部４１０から出力された維持放電パルスが各パネルキャパシタ（Ｃｐ）に印加される時に発生するオーバシュートをクランピングする。そして、キャパシタ（Ｃ１）にはＶｓ電圧が充電されているので、より安定的に維持放電パルスのハイレベル電圧（Ｖｓ）をクランピングする。この時、クランピングダイオード（Ｄ１）のアノードはトランジスタ（Ｓｃｌ）のソース（入力端）に連結され、カソードは電源（第１電源）端（Ｖｓ）に連結される。そして、クランピングダイオード（Ｄ１）のカソードと電源端（Ｖｓ）との間にキャパシタ（Ｃ１）の一端が連結され、キャパシタ（Ｃ１）の他端は接地端（０Ｖ）に連結されている。
【００４２】
また、図５では、クランピングダイオード（Ｄ１）を通じて維持放電パルスが各パネルキャパシタ（Ｃｐ）に印加される時に発生するオーバシュートをクランピングすることを示したが、クランピングダイオード（Ｄ１）の代わりに他の素子（例えばトランジスタ）を使用してオーバシュートをクランピングすることもできる。
【００４３】
また、図５では、１つの選択回路ＩＣに連結されるクランピング部４４０を示したが、本発明の実施形態では、各々の選択回路ＩＣのうちの維持駆動部４１０及び複数の選択回路ＩＣ（ＩＣ１〜ＩＣ１２）のうちの少なくとも１つの選択回路ＩＣのトランジスタ（Ｓｃｌ）の入力端にクランピング部４４０が連結されたことを意味する。例えば、図２に示した複数の選択回路ＩＣ（ＩＣ１〜ＩＣ１２）のうちの維持駆動部４１０から距離が遠く離れた選択回路ＩＣほど、より大きなオーバシュートが発生するので、選択回路ＩＣ（ＩＣ１、ＩＣ１２）のトランジスタ（Ｓｃｌ）の入力端（ソース）にクランピング部４４０を連結すれば、より効果的にオーバシュートを防止することができる。
【００４４】
以下、図６Ａ乃至図６Ｄを参照して、本発明の実施形態による維持放電パルスを生成する方法について説明する。
【００４５】
図６Ａ乃至図６Ｄは維持期間に走査電極に印加される維持放電パルスの電流経路を示した図面である。
【００４６】
この時、図６Ａに示したモード１（Ｍ１）が始まる前に、キャパシタ（Ｃｅｒ）に電圧（Ｖｓ／２）が充電されていると仮定する。
【００４７】
（１）モード１（図６Ａ参照）
モード１では、トランジスタ（Ｙｒ、Ｙｎｐ、Ｓｃｌ）がターンオン（ｔｕｒｎ  ｏｎ）される。そうすると、図６Ａに示したように、キャパシタ（Ｃｅｒ）、トランジスタ（Ｙｒ）、ダイオード（Ｄｒ）、インダクタ（Ｌ）、トランジスタ（Ｙｎｐ）、トランジスタ（Ｓｃｌ）、及びパネルキャパシタ（Ｃｐ）によって電流経路（1)）が形成されて、インダクタ（Ｌ）とパネルキャパシタ（Ｃｐ）との間で共振が発生する。この共振によってパネルキャパシタ（Ｃｐ）が充電されて、パネルキャパシタ（Ｃｐ）の走査電極（Ｙ）の電圧が０ＶからＶｓ電圧に近い電圧まで徐々に増加する。そうすると、インダクタ（Ｌ）に流れる電流は、Ｖ／Ｌの傾きで線形的に増加し、−（Ｖｓ−Ｖ）／Ｌの傾きで線形的に減少する。
【００４８】
（２）モード２（図６Ｂ参照）
モード２では、インダクタ（Ｌ）に流れる電流が０Ａまで減少すると、トランジスタ（Ｙｒ）がターンオフ（ｔｕｒｎ  ｏｆｆ）される。そして、トランジスタ（Ｙｓ）がターンオンされて、電源端（Ｖｓ）、トランジスタ（Ｙｓ）、トランジスタ（Ｙｎｐ）、トランジスタ（Ｓｃｌ）、及びパネルキャパシタ（Ｃｐ）によって電流経路（2)）が形成されて、走査電極（Ｙ）にハイレベル電圧（Ｖｓ）が印加されて維持される。
【００４９】
一方、前記で図３に示したように、維持期間に走査電極にハイレベル電圧（Ｖｓ）が印加される時にオーバーシュートが発生することがある。したがって、本発明の実施形態では、トランジスタ（Ｓｃｌ）の入力端（ソース）にクランピング部４４０が連結される。つまり、トランジスタ（Ｙｓ）がターンオンされた時にオーバーシュートが発生して、パネルキャパシタ（Ｃｐ）にハイレベル電圧（Ｖｓ電圧）以上の過電圧が印加される場合に、クランピング部４４０のクランピングダイオード（Ｄ１）がオン（ｏｎ）される。そうすると、図６Ｂに示したように、パネルキャパシタ（Ｃｐ）、トランジスタ（Ｓｃｌ）、クランピングダイオード（Ｄ１）、電源端（Ｖｓ）の電流経路（3)）を通じて過電圧がクランピングされる。
【００５０】
（３）モード３（図６Ｃ参照）
モード３では、トランジスタ（Ｙｓ）がターンオフされて、トランジスタ（Ｙｆ）がターンオンされる。そうすると、図６Ｃに示したように、パネルキャパシタ（Ｃｐ）、トランジスタ（Ｓｃｌ）、トランジスタ（Ｙｎｐ）、インダクタ（Ｌ）、トランジスタ（Ｙｆ）、及びキャパシタ（Ｃｅｒ）によって電流経路（4)）が形成されて、インダクタ（Ｌ）とパネルキャパシタ（Ｃｐ）との間で共振が発生する。この共振によってパネルキャパシタ（Ｃｐ）の走査電極（Ｙ）の電圧がローレベル電圧（０Ｖ）まで徐々に減少する。つまり、パネルキャパシタ（Ｃｐ）が放電されるようになる。また、モード３でインダクタ（Ｌ）に流れる電流は、−（Ｖｓ−Ｖ）／Ｌの傾きで線形的に減少し、Ｖ／Ｌの傾きで増加する。
【００５１】
（４）モード４（図６Ｄ参照）
モード３以降にインダクタ（Ｌ）に流れる電流（ＩＬ）が０Ａになると、モード４では、トランジスタ（Ｙｆ）がターンオフされて、トランジスタ（Ｙｇ）がターンオンされる。そうすると、図６Ｄに示したように、パネルキャパシタ（Ｃｐ）、トランジスタ（Ｓｃｌ）、トランジスタ（Ｙｎｐ）、トランジスタ（Ｙｇ）、接地端（０Ｖ）によって電流経路（5)）が形成されて、走査電極（Ｙ）にローレベル電圧（０Ｖ）が印加されて維持される。
【００５２】
モード４が終了した後には、走査電極駆動部４００でモード１〜４の動作が反復される。
【００５３】
このように、本発明の実施形態による走査電極駆動部４００は、維持駆動部４１０の出力端と選択回路ＩＣの入力端との間にクランピング部４４０が位置することによって、オーバーシュートのような波形のわい曲の発生を防止して、安定した維持放電パルスを放電セル全体に印加することができる。
【００５４】
以上で、本発明の好ましい実施形態について詳細に説明したが、本発明の権利範囲はこれに限定されず、特許請求の範囲で定義している本発明の基本概念を利用した当業者の多様な変形及び改良形態も本発明の権利範囲に属する。
【図面の簡単な説明】
【００５５】
【図１】一般的な走査電極駆動部の駆動回路を示した図面である。
【図２】走査電極駆動ボード及びそれに連結されるスキャンボードを簡略化して示した図面である。
【図３】図１で示した走査電極駆動部によって走査電極に印加される維持放電パルスを簡略化して示した図面である。
【図４】本発明の実施形態によるプラズマ表示装置を示した図面である。
【図５】本発明の実施形態による走査電極駆動部の駆動回路を示した図面である。
【図６Ａ】維持期間に走査電極に印加される維持放電パルスの電流経路を示した図面である。
【図６Ｂ】維持期間に走査電極に印加される維持放電パルスの電流経路を示した図面である。
【図６Ｃ】維持期間に走査電極に印加される維持放電パルスの電流経路を示した図面である。
【図６Ｄ】維持期間に走査電極に印加される維持放電パルスの電流経路を示した図面である。
【符号の説明】
【００５６】
１００    プラズマ表示パネル、
１１０    走査電極駆動ボード、
１２０    スキャンボード、
１２    放電セル、
２００    制御部、
３００    アドレス電極駆動部、
４００    走査電極駆動部、
４１０    維持駆動部、
４１１    電力回収部、
４３１    選択回路、
４２０    リセット駆動部、
４３０    走査駆動部、
４４０    クランピング部、
５００    維持電極駆動部。
【図１】
2008116908.tif 000003
【図２】
2008116908.tif 000004
【図３】
2008116908.tif 000005
【図４】
2008116908.tif 000006
【図５】
2008116908.tif 000007
【図６Ａ】
2008116908.tif 000008
【図６Ｂ】
2008116908.tif 000009
【図６Ｃ】
2008116908.tif 000010
【図６Ｄ】
2008116908.tif 000011